(57)【要約】【課題】医療業務の進捗状況を迅速に把握して新たな入力データを迅速に入力可能な医療業務進捗状況入力支援システムを提供する。【解決手段】医療業務進捗状況入力支援システムの例えば内視鏡検査部門１２の内視鏡検査システム１６を例にとると、立ち上がり初期画面３０では、日付表示欄３１の日付、日付変更のための三角ボタン３２、業務選択ボタン群表示領域３５の業務選択ボタン、ログアウトボタン３３、及び下段右端部３４のログインしている人の名前等の表示が表示され、主画面表示領域３６には単純なイメージの主画面のみが表示される。ここで前処置入力ボタンが選択入力されると、主画面４７の表示が前処置未着手検査患者一覧表５２の表示に切り替わる。検査患者の中の前処置未着手のもののみの一覧表示であるので、前処置担当医は直ちに所望の検査患者を選択することができる。この選択によって前処置実施のデータ入力画面がオーバーラップして表示される。【選択図】　図５
2004145428.tif 000002
【特許請求の範囲】
【請求項１】
複数の業務の各業務に対して発生する複数の医療患者の処置未着手又は処置完了の進捗状況を前記各業務に対応付けて記録する記録手段と、
前記複数の業務の各業務を選択可能に一覧表示する選択一覧表示手段と、
該選択一覧表示手段による前記一覧表示からの業務選択入力に基づき該選択された業務の前記医療患者の進捗状況を前記記録手段の記録から読み出して前記選択された業務の処置未着手の前記医療患者に関わる医療患者を一覧表示する未着手患者一覧表示手段と、
を有することを特徴とする医療業務進捗状況入力支援システム。
【請求項２】
前記未着手患者一覧表示手段による一覧表示から所望の処置未着手の医療患者を選択する医療患者選択手段と、
該医療患者選択手段により選択された前記医療患者の処置未着手の前記業務について処置の進捗状況を入力する処置進捗情報入力手段と、
該処置進捗状況入力手段による入力完了に基づいて該入力完了の業務に関わる前記医療患者を前記入力完了に関わる業務が完了した医療患者として分類して前記記録手段に記録させる進捗状況分類手段と、
を更に有することを特徴とする請求項１記載の医療業務進捗状況入力支援システム。
【請求項３】
前記選択された業務の処置が完了した前記医療患者の進捗状況を前記記録手段の記録から読み出して前記選択された業務の処置済みの前記医療患者に関わる医療患者を一覧表示する処置済患者一覧表示手段と、
前記未着手患者一覧表示手段による医療患者の一覧表示と前記処置済患者一覧表示手段による医療患者の一覧表示とを切替表示する一覧表示切替手段と、
を更に備え、
前記医療患者選択手段は、前記一覧表示切替手段により切り替え表示された一覧表示から所望の前記医療患者を選択し、
前記処置進捗情報入力手段は、前記医療患者選択手段により選択された前記医療患者に関わる前記業務について新規又は追加の進捗状況を入力し、
前記進捗状況分類手段は、前記処置進捗状況入力手段による進捗状況の入力完了に基づいて該入力完了の業務に関わる前記医療患者を前記入力完了に関わる業務が完了した医療患者として分類して前記記録手段に記録させる、
ことを特徴とする請求項１記載の医療業務進捗状況入力支援システム。
【請求項４】
前記一覧表示切替手段による一覧表示の前記医療患者を、前記業務ごと未着手ごと又は前記業務ごと完了ごとに、所望の仕分け区分に従って表示行の背景又は表示文字を色分けして表示する色分表示手段を更に有することを特徴とする請求項３記載の医療業務進捗状況入力支援システム。
【発明の詳細な説明】
【０００１】
【発明の属する技術分野】
本発明は、医療業務の進捗状況を迅速に把握して新たな入力データを迅速に入力可能な医療業務進捗状況入力支援システムに関する。
【０００２】
【従来の技術】
従来より、大規模な病院などにおいて、患者の来院受付から医療費会計及び次回の予約まで、医療業務の進捗状況に合わせて迅速に処理を行い、処理を行ったデータを整理しておき、次回の処理に迅速に役立てることが出来るようにしたいという要望がある。
【０００３】
医療業務の進捗に関わるデータは、古くはカルテの形で保存されおり、この数百あるいは数千もあるカルテの中から所望のカルテを迅速に探し出す機構的なシステムなども実用化されている。また、ごく近年では、カルテと並行して同様のデータが会計データと共にコンピュータにデータベース化されて保存される場合も多い。
【０００４】
その中の一つとして、医療用画像データに各業務過程で取得されたデータを対応付けてデータベースとしてコンピュータなどに記憶させ、患者に対する検査や治療の流れに合わせて必要な情報を適切なタイミングで取り扱えるようにするという医療用画像ファイリングシステムが提案されている（例えば、特許文献１参照。）。
【０００５】
図９は、そのような、従来の例えば内視鏡検査の医療用画像ファイリングシステムにおいて、内視鏡による体内検査の医療業務の進捗状況を見るために、システムに接続されたコンピュータのモニタに表示される一覧表示画面の例を示す図である。
【０００６】
一般に、内視鏡による体内検査の医療システムでは、その医療業務内容を進行順に示すと、到着確認、前処置、実施、レポート作成、会計、予約等から成っている。
上記の到着確認は、外来患者であれば患者の来院とその受付けであり、入院中の患者であれば内視鏡病棟への来所とその受付である。この業務では、受付時刻と氏名と処置されるべき医療の内容とが確認されて記録される。
【０００７】
前処置は、実施の前に専門医や看護士により行われる麻酔、投薬、下剤の投与などであり、それぞれの処置内容や担当者名がデータとして記録される。
実施は、専門医により内視鏡を用いて行われる検査と撮影などである。これには、手術や治療等が含まれることもあり、その実施と、その実施記録を行う業務である。実施記録では、検査に使用された薬剤や機材等の物品名の入力が行われる。
【０００８】
レポートは、内視鏡の実施担当医によって作成される担当主治医に対する報告書であり、使用した内視鏡の機種、経過時間、結果（実施段階で得られた患者及び患部の状況の所見）などが内視鏡担当者名と共にデータとして記録される業務である。
【０００９】
また、会計は、前処置と実施の各記録から法定による所定の計算方式で医療費を計算し、この算出された医療費の支払いを患者から受け取る会計窓口の業務である。
システム化されている場合では、医療費の計算は自動的に行われて印刷出力される。会計窓口の業務では、印刷出力された内容に従って患者から医療費を受け取り、受領印を押した領収書を患者に渡すだけで処理は完了する。
【００１０】
予約確認は、本来は医療費の支払いを完了した患者に次回の来院予定（医療患者の予約）を確認してその確認した日時をデータとして記録するものであるが、実際には内視鏡の検査実施後の主治医による診断が終了した段階で、主治医から患者に予約日時を指定される場合が一般的である。
【００１１】
そして、これらの記録は医療システムのデータベースに記録される。そして、患者が次回の内視鏡の検査（又は手術か治療、以下同様）を受けに来たとき、図９に示すように、内視鏡の医療システムに接続された受付端末であるコンピュータのモニタに、内視鏡の全ての医療患者の一覧画面が表示される。
【００１２】
図９に示す例では、受付メイン画面１は、最上段にメニューボタンのグループ２、その下のサブメニューボタンのグループ３、画面の最下段に機能ボタンのグループ４を備えている。また、受付メイン画面１は、日付および検査種別を指定するためのコンボボックス５、および、検査一覧ウィンドウ６を備えている。なお、上記の各ボタンは、他の表示画面においてもこのような配置となっている。
【００１３】
メニューボタンのグループ２は、常時使用可能であり、他の表示画面への表示切替に使用されるボタンのグループである。サブメニューボタンのグループ３は、検査の進行状況によって使用可能となり、選択した検査の進行状況に合わせて使用できたり使用が制限されたりする。メニューボタンのグループ２とサブメニューボタンのグループ３は、各表示画面において共通に使用される。
【００１４】
機能ボタンのグループ４は、この同図に示す表示画面においてのみ使用可能なボタンのグループである。つまり最下段に表示されるボタンは、各表示画面毎に異なったものとなる。
上記の検査一覧ウィンドウ６は、コンボボックス５を用いて選択された日付に予約された医療患者の一覧表示画面であって、同図に示す例では、各行が１件の医療患者を示し、各行は、左から、予約時間、到着時間、患者ＩＤ、患者名、性別、年齢、診療科、入／外、検査項目、コメント、検査室、進行状況欄（最後の複数の空白の枡で示す各欄）のデータ欄で構成されている。
【００１５】
このように、この検査一覧ウィンドウ６では、システムから受信した患者情報と医療患者情報を表示できるとともに、各医療患者における業務の進行状況７を表示することができる．進行状況７は、チェックマーク（ｖ）により表示が行われ、患者の到着確認、前処置の完了、撮影および実施確認の完了、レポート作成の完了といった、検査業務の進行状況に合わせてチェックマーク（ｖ）が追加されていくようになっている。
【００１６】
これらのデータの入力では、例えば検査の予定時刻となり患者が到着した場合には、検査一覧ウィンドウ６の一覧表示の中から該当医療患者の行を選択し、到着確認ボタン４−１を押すことで、患者の到着時刻が自動入力され、患者の到着が確認される。そして、この患者の到着確認の入力が行われると、該当医療患者の行に対して進行状況７の患者到着確認の場所にチェックマーク（ｖ）が表示される。他の業務についても同様にして必要なデータが入力されチェックマーク（ｖ）が表示される。
【００１７】
この一覧表画面から、例えば検査を行う患者対象者を選び出すには、先ず、到着未確認の者は除外される。更に、前処置が未処置の者も除外される。そして、到着が確認され、前処置の完了している者の中から、実施が未処置の者が探し出され、その中から、更に到着時刻の早いもの又は現在時刻に予め予約されていた者から順に、検査実施の処置に入ることになる。上記の一覧表による判別は全てチェックマーク（ｖ）の表示を確認することによって行われる。これは他の部門でも同様である。
【００１８】
なお、上記のチェックマーク（ｖ）の表示と並行して、あるいはチェックマーク（ｖ）の表示に代えて、各医療患者行を色分け表示することもできる。
例えば、検査撮影済みの医療患者行は背景を水色で表示し、仮患者の医療患者行は背景をオレンジ色で表示し、検査中止の医療患者行は赤色で表示する等である。
【００１９】
図９に示す例では、上記の処理終了欄にチェックマーク（ｖ）を付けて表示するにしても、処理終了ごとに特定の背景色で表示するにしても、いずれも視覚的に容易に分かるので、検査業務の進捗状況がこの一覧表示画面だけで判明するという利点があるとしている。
【００２０】
【特許文献１】
特開２００２−７３６１５号公報（要約、段落００５３〜００６３、図３、図５）
【００２１】
【発明が解決しようとする課題】
しかしながら、上記のように各行が医療患者の業務進捗状況や処置された内容によって処理終了欄にチェックマーク（ｖ）を付けて表示したり、完了した業務の種類に応じた色分けをして表示されていて、見た目に分かりやすいとはいうものの、その一覧表示の表示画面内には、全ての医療患者がその業務進捗状況とともに一覧表示されているために、自己部門で処置する前に知りたい医療患者の進捗状況を見つけ出さなくてはならない。
【００２２】
例えば上述したように、検査実施部門が、検査の実施可能な医療患者（患者）を一覧表示画面の中から探し出す場合には、先ず、患者が検査部門に到着していない（受付をしていない）医療患者には検査は実施出来ないから患者の到着が確認されている医療患者の行を探し出す。更に、前処置がしていない患者の医療患者には検査は実施出来ないから前処置が完了している患者の医療患者の行を探し出してこれを抽出するという作業を一覧表示画面上で行うことになる。また、例えばレポートの入力をしなければならない医療患者の行の選択では、上記と同様の手順を順次踏んで、検査が済んでいる患者の実施患者の行を探し出すことになる。
【００２３】
このように従来の内視鏡検査の医療用画像ファイリングシステムを用いた業務進捗状況の確認では、業務の進捗状況を表示画面等で一覧表に表示しており、ある特定の業務を行いたい場合には、一覧表示されている全ての情報から該当する特定の業務を見つけ出す、又は特定の業務を示す条件を設定し、絞込みの検索を行った後に目的の特定の業務を見つけ出さなければならない。
【００２４】
この作業は思ったよりも手数がかかり、一覧表示の中から該当の患者（医療患者行）を選択するときの作業効率が非常に悪く、このようなシステムを使用する顧客にとっては、利用しやすものと必ずしも言い切れないという不満の残るものであった。
【００２５】
本発明の課題は、上記従来の実情に鑑み、内視鏡検査の業務の流れに沿った最適な一覧表を表示し検索したい業務を迅速に選択して次段の業務を実施し、実施結果のデータ入力が迅速にできる医療業務進捗状況入力支援システムを提供することである。
【００２６】
【課題を解決するための手段及び作用】
以下に、本発明に係わる医療業務進捗状況入力支援システムの構成を述べる。本発明の医療業務進捗状況入力支援システムは、複数の業務の各業務に対して発生する複数の医療患者の処置未着手又は処置完了の進捗状況を上記各業務に対応付けて記録する記録手段と、上記複数の業務の各業務を選択可能に一覧表示する選択一覧表示手段と、該選択一覧表示手段による上記一覧表示からの業務選択入力に基づき該選択された業務の上記医療患者の進捗状況を上記記録手段の記録から読み出して上記選択された業務の処置未着手の上記医療患者に関わる医療患者を一覧表示する未着手患者一覧表示手段と、を有して構成される。
【００２７】
これにより、所望の業務の処置未着手の医療患者のみを迅速に一覧表示させることができ、この処置未着手の医療患者の一覧表示から所望の処置未着手の医療患者を迅速に選択することができるようになる。
また、この医療業務進捗状況入力支援システムは、例えば請求項２記載のように、上記未着手患者一覧表示手段による一覧表示から所望の処置未着手の医療患者を選択する医療患者選択手段と、該医療患者選択手段により選択された上記医療患者の処置未着手の上記業務について処置の進捗状況を入力する処置進捗情報入力手段と、該処置進捗状況入力手段による入力完了に基づいて該入力完了の業務に関わる上記医療患者を上記入力完了に関わる業務が完了した医療患者として分類して上記記録手段に記録させる進捗状況分類手段と、を更に有して構成される。
【００２８】
これにより、処置未着手の業務の処置実施に着手したい医療患者を迅速に選択し該業務の処置を実施してその実施結果のデータを記録のために迅速に入力することができるようになる。
また、この医療業務進捗状況入力支援システムは、例えば請求項３記載のように、上記選択された業務の処置が完了した上記医療患者の進捗状況を上記記録手段の記録から読み出して上記選択された業務の処置済みの上記医療患者に関わる医療患者を一覧表示する処置済患者一覧表示手段と、上記未着手患者一覧表示手段による医療患者の一覧表示と上記処置済患者一覧表示手段による医療患者の一覧表示とを切替表示する一覧表示切替手段と、を更に備え、上記医療患者選択手段は、上記一覧表示切替手段により切り替え表示された一覧表示から所望の上記医療患者を選択し、上記処置進捗情報入力手段は、上記医療患者選択手段により選択された上記医療患者に関わる上記業務について新規又は追加の進捗状況を入力し、上記進捗状況分類手段は、上記処置進捗状況入力手段による進捗状況の入力完了に基づいて該入力完了の業務に関わる上記医療患者を上記入力完了に関わる業務が完了した医療患者として分類して上記記録手段に記録させるように構成される。
【００２９】
これにより、業務の処置が完了した医療患者に対する該業務の追加処置の実施を迅速に行うことができるとともに、その追加処置実施のデータ入力を迅速に行うことが可能となる。
また、この医療業務進捗状況入力支援システムは、例えば請求項４記載のように、上記一覧表示切替手段による一覧表示の上記医療患者を、上記業務ごと未着手ごと又は上記業務ごと完了ごとに、所望の仕分け区分に従って表示行の背景又は表示文字を色分けして表示する色分表示手段を更に有して構成される。
【００３０】
これにより、未着手または完了の一覧表示の中で更に他の業務の進捗状況が目視によって容易に判別でき、業務を実施すべき未着手の医療患者又は業務を追加実施すべき業務完了の医療以来を誤りなく迅速に見つけ出すことができる。
【００３１】
【発明の実施の形態】
以下、本発明の実施の形態を図面を参照しながら説明する。
図１は、一実施の形態における医療業務進捗状況入力支援システムの全体構成を示す図である。同図において、医療業務進捗状況入力支援システムは、院内ネットワーク１０に接続され、院内全ての部門毎のシステムと連携するサーバ装置から成り、不図示の記憶装置に、院内全ての部門毎の画像を含むカルテや各部門ごとの後述する各業務に対して発生する複数の医療患者の未着手又は完了の進捗状況を各業務に対応付けて記憶する電子カルテシステム１１と、同じく院内ネットワーク１０に接続された内視鏡検査部門１２の検査システム、その他同じく院内ネットワーク１０に接続された病理部門１３の検査システムをはじめとする他の部門１４（１４−１、・・・、１４−ｎ）の検査システム、及び多数の院内情報端末１５（１５−１、・・・、１５−ｍ）から構成される。
【００３２】
上記の内視鏡検査部門１２を例にとると（以下、他の部門も、特には図示しないが内部システムは同様である）、この内視鏡検査部門１２には、内視鏡の機種や検査（又は手術か治療、以下同様）の内容に応じて複数の内視鏡検査システム１６が院内ネットワーク１０に接続されて備えられている。
【００３３】
図２は、そのような内視鏡検査システム１６の構成例を示す図である。同図に示すように、この内視鏡検査システム１６には、先ず上述の院内ネットワーク１０に接続されたシステムネットワーク１７があり、このシステムネットワーク１７に、サーバ装置１８、レポート入出力用端末１９、検査装置用端末２１、データ送受信用端末２２、プリンタ２３、ＤＶＤ制御用端末２４がそれぞれ接続されている。
【００３４】
サーバ装置１８は、この内視鏡検査システム１６全体を制御するサーバであり、一方では、データ送受信用端末２２を介して院内ネットワーク１０の電子カルテシステム１１とデータの送受信を行い、他方では、システムネットワーク１７を介して各端末とデータの送受信を行う。このサーバ装置１８には、プリンタ２５が接続されており、所望のデータを所定のフォーマットで印刷出力することができる。
【００３５】
検査装置用端末２１は、内視鏡検査装置２６を接続されている。検査装置用端末２１は、一方では、その表示画面への内視鏡検査担当医からの入力指示に基づいて、サーバ装置１８と通信し、サーバ装置１８から送信された後述する医療患者の一覧表示画面を表示し、この一覧表示画面に基づいて内視鏡検査担当医又はその指示を受けた看護士により行われるデータ選択やデータ入力の結果をサーバ装置１８に送信する。
【００３６】
また、検査装置用端末２１は、他方では、内視鏡検査担当医が内視鏡検査装置２６によって医療患者者（患者）の検査を行う際の映像をリアルタイムで表示し、撮影した検査映像を一時的に記憶し、この記憶した検査映像をサーバ装置１８に送信し、必要に応じてサーバ装置１８から撮影済みの検査映像を呼び出して表示画面に表示する。
【００３７】
レポート入出力用端末１９は、プリンタ２７を接続されている。このレポート入出力用端末１９は、その表示画面への内視鏡検査担当医又はその指示を受けた看護士からの入力指示に基づいて、サーバ装置１８と通信し、サーバ装置１８から送信された医療患者の一覧表示画面を表示し、この一覧表示画面に基づいて内視鏡検査担当医又はその指示を受けた看護士により行われるデータ選択の結果をサーバ装置１８に送信する。
【００３８】
そして、レポート入出力用端末１９は、上記データ選択の結果に基づいてサーバ装置１８から送信されるレポート入力画面表示データにより表示装置にレポート入力用の表示画面を表示し、そのレポート入力用の表示画面に入力されたデータをサーバ装置１８に送信する。
【００３９】
データ送受信用端末２２は、単にシステムネットワーク１７と院内ネットワーク１０との通信を中継するだけでなく、サーバ装置１８、レポート入出力用端末１９又は検査装置用端末２１と同様に、その表示画面に、システムネットワーク１７のサーバ装置１８又はと院内ネットワーク１０の電子カルテシステム１１から呼び出した医療患者の一覧表画面を表示することができる。
【００４０】
プリンタ２３は、例えばプリンタを接続されていない検査装置用端末２１あるいはデータ送受信用端末２２からの印刷出力指示を受けて印刷を行うために設けられている。
そして、ＤＶＤ制御用端末２４は、記録媒体としてのＤＶＤが着脱自在に装着されるＤＶＤチェンジャー２８を接続されている。ＤＶＤ制御用端末２４は、院内ネットワーク１０の電子カルテシステム１１のデータベースに保存されているものと同様の、この内視鏡検査システム１６内での撮影画像その他の種々の資料を保存するために用いられるＤＶＤドライブ用の端末装置であり、ＤＶＤチェンジャー２８に装着されたＤＶＤに対して上記撮影画像その他の種々のデータの読み書きを行う。
【００４１】
これにより、重要なデータが院内ネットワーク１０と各部門のシステム内とで二重に保管され、記録データを読み出して表示装置に表示する際には、院内ネットワーク１０を通さずとも部門内システムネットワークのみで迅速にデータの表示を行うことができる。
【００４２】
以上のような構成における院内ネットワーク１０における医療業務進捗状況入力支援システムにおいて、代表的に再び内視鏡検査システム１６を例にとって、その処理の動作を以下に説明する。
図３は、各業務において未着手の医療患者を一覧表示して、担当医（又はその指示を受けた看護士、以下同様）によって処置実施のデータが入力されるときの処理動作を示すフローチャートである。
【００４３】
図４は、上記の処理において、サーバ装置１８又は他の端末の表示装置に表示される未着手の処置に対する処置実施のデータ入力のための「立ち上り初期表示画面」の例を示す図である。
図５は、上記の立ち上り初期表示画面において、例えば「前処置入力」が選択された場合に表示される前処置未着手の患者の医療患者の一覧表示画面の例を示す図である。
【００４４】
図６は、上記の前処置を行うべき患者の医療患者の選択の表示画面において、所望の患者名が表示されている行の医療患者の選択された場合に表示される「処置状況の入力」を行うための表示画面の例を示す図である。
なお、この処理は、内視鏡検査システム１６のサーバ装置１８の不図示のＣＰＵによって行われる処理であり、その処理内容又は処理結果は、例えば図４〜図５に示すような表示画面となって、担当医が操作するサーバ装置１８又は他の端末（１９、２１、又は２２、以下同様）の表示装置に表示される。
【００４５】
以下、本例では、前処置を行う担当医によって検査装置用端末２１が操作されているものとして説明する。また、内視鏡による検査部門のシステムであるので、以下の説明では「医療患者」を「検査患者」として説明する。
図３において、サーバ装置１８のＣＰＵは、先ず、担当医によるシステムネットワーク１７へのログイン操作に基づいて、スタート画面（図４に示す初期立ち上がり表示画面）を検査装置用端末２１の表示装置に表示させる（ステップＳ１）。
【００４６】
図４に示すように、スタート画面３０は、最上段の日付表示欄３１に本日の日付と曜日が表示され、その右方に日にちを繰り上げたり繰り下げたりするための２つの三角ボタン３２が表示されている。また、スタート画面３０の最下段には、左端にログアウトボタン３３が表示され、右端の使用者欄３４には、ログインしている人の名前が表示されている。
【００４７】
中央の表示面は左方の業務選択ボタン群表示領域３５と、右方の主画面表示領域３６とに分けられている。業務選択ボタン群表示領域３５には、業務を選択するための、適宜のイメージ絵柄とその右に続く業務名とから成る業務ボタンが、上から下へ順に、患者受付ボタン３７、前処置入力ボタン３８、実施入力ボタン３９、及びレポート入力ボタン４１と並んでおり、最後に検査状況一覧ボタン４２が表示されている。
【００４８】
このように、本例によれば、これから行おうとしている業務に適した選択肢が業務選択ボタン群として自動的に表示されることにより、これらの選択肢からこれから行おうとしている業務を効率良く選択することができるようになる。
また、スタート画面３０において中央の表示面の右方の主画面表示領域３６は、この画面が初期立ち上がり表示画面であるため、全面が適宜の色の背景色で塗りつぶされて何も表示されておらず、ただその右上隅に、この表示画面を表示しているネットワーク名４３が表示されている。
【００４９】
次に、サーバ装置１８のＣＰＵは、上記の業務選択ボタン群表示領域３５に表示されている５個の業務ボタンの中から、いずれかの業務ボタンが選択されて押下されたか否かを判別する（ステップＳ２）。
ここで、担当医により上記の業務選択ボタン群表示領域３５に表示されている業務ボタンの中から、これから行おうとしている所望の業務の業務ボタンが押下入力されると、サーバ装置１８のＣＰＵは、いずれかの業務ボタンが選択されて押下されたことを判別する（Ｓ２がＹＥＳ）。そして、更にその押下された業務ボタンの種別を判別して、その判別した種別の業務の未実施の検査患者の一覧表示画面を表示する（ステップＳ４）。
【００５０】
これにより、図５に示すような業務の未着手の検査患者の一覧表示画面が表示される。本例では、前処置を行う担当医によって前処置入力ボタンが選択されて押下された場合の例を示しており、図５には、「前処置を行うべき検査患者の選択」を行うための「前処置業務」の未着手の検査患者の一覧表示画面が表示されている。
【００５１】
図５に示す前処置の未着手検査患者一覧表示画面４５も、図４に示したスタート画面３０の場合と同様に、最上段に本日の日付と曜日が表示された日付表示欄３１と、その右方の２つの三角ボタン３２が表示されており、最下段の左端にはログアウトボタン３３が表示され、右端の使用者欄３４にログインしている人の名前が表示されている。そして、前段のスタート画面３０で選択押下された前処置入力ボタン３８が、選択押下されたことを示すために、色又は濃度を変えて表示されている。
【００５２】
そして、中央の表示面右方の主画面表示領域３６には、主画面４７の最上段左端の画面名称領域４８に、この主画面４７の名称が「未処置患者一覧」と表示され、その右方に、「更新」ボタン４９が表示され、右端領域には「処置済み一覧へ」ボタン５１が表示されている。
【００５３】
この主画面表示領域３６の上記最上段の下方全面（同図に示す例では１３行の表示であり、必ずしも全面の表示領域が使用されているわけではない）に、前処置の未着手の検査患者の一覧表５２が表示されている。この前処置未着手検査患者一覧表５２の最上段には、一覧表示項目が左から右へ順に、到着時刻、患者ＩＤ、患者名（検査患者）、入／外（入院／外来）、検査種別、と表示されている。そして、患者名の項目欄には、上から下へ、「○森×一」から「△原×也」まで、１３名の前処置未着手の患者が一覧表示されている。
【００５４】
このように、本例によれば、所望の業務の処置未着手の医療患者のみを一覧表示させることができ、この処置未着手の医療患者の一覧表示から所望の処置未着手の医療患者を迅速に選択することができる。
次に、サーバ装置１８のＣＰＵは、上記１３名の患者名が表示されている一覧表示の中から、いずれかの行が選択入力されているか否かを判別する（ステップＳ５）。
【００５５】
ここで、担当医により上記の一覧表示されている１３名の患者の中から、これから処置を行おうとしている所望の患者名が表示されている行（例えば三行目の患者名が「▽上□也」となっている行）が選択入力されると、サーバ装置１８のＣＰＵは、一覧表示中の三行目の行が選択入力されと判別する（Ｓ５がＹＥＳ）。そして、その選択入力された三行目の行の表示を反転表示（又は表示色を変えるなど他の行よりも目立つ方法で表示）する。
【００５６】
サーバ装置１８のＣＰＵは、更にその選択入力された三行目の患者名「▽上□也」の検査患者（データベースの中のデータレコード）を例えばＩＤコードによって判別して、その判別された患者の検査患者レコードをデータベースから読み出し、当該業務に関わる処置内容を入力する入力用ウインドウの表示画面を上記一覧表示にオーバーラップさせて表示する（ステップＳ７）。
【００５７】
図６に示すように、上記入力用ウインドウ用表示画面５３は、上記図５に示した未着手検査患者一覧表示画面４５の上にオーバーラップして表示されている。入力用ウインドウ用表示画面５３は、最上段左端部の画面名称領域５４に、「前処置入力」と、この表示画面の名称が表示され、最下段には左端に「一覧へ戻る」ボタン５５が表示され、右端の使用者欄５６には、ログインしている人の名前が表示されている。
【００５８】
これら最上段と最下段に挟まれる中央の表示領域は、左方にやや狭い幅で上から下まで情報表示領域５７が設けられ、例えば患者のＩＤコード、名前、生年月日、性別、入院／外来の別等の患者情報が表示され、その下方に続いて、例えば処置すべき医療内容、担当医師名、更に既に処置実施済みのものについて処置実施日付が付加されて、こと細かな検査情報が表示される。
【００５９】
また、右方の表示領域は、上方に、注意事項欄５８、その下に、同意書を渡したか、看護士による看護説明が必要かという内容を表すアイコン表示欄５９、そして、その下の右方表示領域の半分以上を占める一覧表示領域６１には、中央に大きく入力用ウインドウ６２が表示され、一覧表示領域６１の右下隅に横に並んで「一時保存」ボタン６３と「登録」ボタン６４が表示されている。
【００６０】
上記の注意事項欄５８には、例えば禁忌薬剤等の注意事項、患者のアレルギー情報等が表示されている。
そして、一覧表示領域６１の入力用ウインドウ６２には、オーバーラップ表示裏側の未着手検査患者一覧表示画面４５で選択されている三行目の患者「▽上□也」に対して処置可能な前処置が一覧表示されている。同図に示す例では、入力用ウインドウ６２は、右から処置済みを示すチェック欄６５、処置に使用した又は使用可能な薬剤名を示す薬剤名欄６６、その薬剤処置で使用すべき薬剤の分量を示す分量欄６７、その処置を実施した担当医の示しを示す実施者名欄６８の各欄で構成されている。
【００６１】
実施者によって処置が実施された後、実施者によって処置済みチェック欄６５にチェクマークが入力されると。実施者がこの画面にログインしている使用者欄５６に表示されているのと同一の人物のときには、その人物の名前が実施者名欄６８に自動的に表示される。また、ログインしている使用者欄５６に表示されているのと異なる人物の場合は、実際に前処置を行った実施した人物の名前がキーボードからキー入力又はプルアップ（又はプルダウン）表示される看護士一覧メニューから選択入力される。
【００６２】
また、処置済みチェック欄６５にチェクマークが無く未着手となっている処置表示行の分量欄６７に表示されている「１３ｃｃ」とか「５ｍｇ」とかの分量はこの患者「▽上□也」の体重、性別、年齢等から予め勘案されて決定されている分量を示しており、これらの前処置を、全部またはいずれかの処置のみを実施するかは、前処理実施担当医の判断によって行われ、その判断に際しては、情報表示領域５７の患者情報や検査情報が参照され、更に、注意事項欄５８の注意事項が参照される。
【００６３】
上記のように入力用ウインドウ用表示画面５３を表示した後、図３のステップＳ８の処理において、サーバ装置１８のＣＰＵは、先ず、データの入力処理をした後、「登録」ボタン６４が押下されたか否かを判別して「登録」ボタン６４が押下されていなければ（Ｓ８がＮＯ）、更に、「一覧へ戻る」ボタン５５が押下されたか否かを判別し（ステップＳ１１）、「一覧へ戻る」ボタン５５が押下されて居なければ、ステップＳ８の処理に戻る、ということを繰り返して、データの入力処理を行いながら、「登録」ボタン６４が押下されることを待機する。
【００６４】
これにより、前処置担当医が、図６に示す入力用ウインドウ用表示画面５３において、「登録」ボタン６４を押下しないかぎり（Ｓ８がＮＯ）、ステップＳ８、Ｓ１１が繰り返され、図６に示す入力用ウインドウ６２へのデータ入力を行うことができる。
【００６５】
そして、前処置担当医が、図６に示すように、入力用ウインドウ６２の上から三行目までの処置を行い、これで十分であると判断し、三行目までのデータ入力を終了した後に、「登録」ボタン６４を押下した場合は（Ｓ８がＹＥＳ）、サーバ装置１８のＣＰＵは、この入力データの登録を完了した検査患者（患者名「▽上□也」の行）の表示を未着手検査患者一覧表示画面４５から消去する（ステップＳ９）。
【００６６】
続いて、サーバ装置１８のＣＰＵは、上記入力データの登録を完了した検査患者を前処置実施済みの一覧表示用のデータのグループに追加（編入）する（ステップＳ１０）。
この処理では、特には図示しないが、上記の患者名「▽上□也」の検査患者レコードの前処置フラグ領域に、前処置が完了したことを示すフラグ（例えば「１」）が設定される。これにより、患者名「▽上□也」の検査患者レコードがデータベースの中において前処置完了のグループに分類され、後述するように、前処置実施済みの一覧表示の際には前処置完了のグループとして一覧表示される。
【００６７】
上記に続いて、サーバ装置１８のＣＰＵは、図６の入力用ウインドウ用表示画面５３において、「一覧へ戻る」ボタン５５が押下されたか否かを判別し（ステップＳ１１）、「一覧へ戻る」ボタン５５が押下されて居なければ、ステップＳ８の処理に戻って、再びステップＳ８、Ｓ１１を繰り返すので、もし、前処置担当医が、「登録」ボタン６４を押した後に更に追加の前処置を行いたい場合は、その追加の前処置の実施と、実施結果のデータ入力を続行することができる。
【００６８】
そして、最終的に、この患者「▽上□也」への前処置が完了したと判断したときは、「登録」ボタン６４を押下し、更に「一覧へ戻る」ボタン５５を押下する。サーバ装置１８のＣＰＵは、ステップＳ８でＹＥＳであると判別し、更にステップＳ１１でＹＥＳであると判別すると、入力用ウインドウ用表示画面５３を表示画面から消去して（ステップＳ１２）、上述のステップＳ５の処理に戻る。
【００６９】
このように、上記のオーバーラップ表示されていた入力用ウインドウ用表示画面５３が表示画面上から消えたことにより、下方の未着手検査患者一覧表示画面４５の表示が復活する。そして、上述したステップＳ５〜Ｓ１２の処理が繰り返される。
【００７０】
これにより、図５に示す来院済み（受付済み）で且つ前処置未着手の患者について前処置を行うべき患者が選択され、順次、前処置が行われ、その実施完了のデータが迅速に入力される。
このように、本例によれば、一覧表示させた業務未着手の医療患者から実施に着手したい医療患者を選択して迅速に業務を実施し、その実施結果のデータ入力を迅速に行うことが出来るようになる。
【００７１】
なお、図３のステップＳ５の処理で、図５に示す前処置未着手検査患者一覧表５２から所望の検査患者の行の選択が確定されないまま（Ｓ５がＮＯ）、ログアウトボタン３３が押下された場合は（ステップＳ６がＹＥＳ）、そのまま処理が終了される。また、前述のステップＳ２の処理で、図４に示す業務選択ボタン群表示領域３５から、しずれの業務ボタンの選択も確定されないまま（Ｓ２がＮＯ）、ログアウトボタン３３が押下された場合も（ステップＳ３がＹＥＳ）、そのまま処理が終了される。
【００７２】
ところで、処置実施済みのデータ入力を完了後、改めてどうゆうデータを入力したのか確認したい場合（データの参照）や、前処置を追加実施する（つまりこれによって前処置実施のデータが追加入力される）場合（データの再編集）が、まま発生する。本例では、そのような場合、未着手検査患者一覧表示画面４５から消去されてしまった検査患者であっても、一覧表示の中から所望の県債患者を容易に探し出して追加データの最入力を行うことができる。
【００７３】
図７は、担当医（又はその指示を受けた看護士、以下同様）によって処置実施のデータが入力済みの医療患者についてデータの参照やデータの再編集を行う場合の処理動作を示すフローチャートである。なお、この処理は、図３の処理のステップＳ５とＳ６の間に挿入される処理である。
【００７４】
すなわち、この処理は、図３のステップＳ５の判別がＮＯであるとき、ステップＳ６のログアウトボタン３３が押下されたか否かの判別に進む前に、図７の示す「処置済み一覧へ」ボタン５１が押下されたか否かの判別が行われる（ステップＳ５′）。
【００７５】
そして、このとき、図５の前処置未着手検査患者一覧表５２において、右上隅の「処置済み一覧へ」ボタン５１が押下されることによって、上記のステップＳ５′の判別がＹＥＳとなり、図７に示す処理が開始される。
この処理では、先ず、図７に示すように、業務実施済みの検査患者一覧表示画面が表示される（ステップＳ５′−１）。
【００７６】
図８は、上記の処理によって表示画面に表示される業務実施済検査患者一覧表示画面の例を示す図である。同図に示す業務実施済検査患者一覧表示画面７０は、図５に示した未着手検査患者一覧表示画面４５の表示画面と比較して、主画面表示領域３６内の主画面４７の表示が変わるだけであり、他の表示領域の表示には全く変更がない。図８には、そのように変更の無い表示部分には、図５と同一の番号を付与して示している。
【００７７】
図８において、主画面４７の最上段左端の画面名称領域４８′には、この主画面４７の名称が「処置済み患者一覧」と表示され、右端の表示領域には「未処置一覧へ」ボタン７１が表示されている。そして、主画面４７の上記最上段の下方全面（同図に示す例では３行の表示であり、必ずしも全面の表示領域が使用されているわけではない）に、前処置業務の実施済みの検査患者の一覧表７２が表示されている。
【００７８】
この前処置業務実施済検査患者一覧表７２の最上段には、一覧表示項目が左から右へ順に、到着時刻、患者ＩＤ、患者名（検査患者）、入／外（入院／外来）、検査種別、と表示されている。そして、患者名の項目欄には、上から下へ、「○森×一」、「オリンパス太郎」、「▽上□也」と３名の前処置業務実施済みの患者が一覧表示されている。この段階では、図８に示すプルダウンメニュー表示７３は、未だ表示されない。
【００７９】
ここで、サーバ装置１８のＣＰＵは、一覧表示の中から所望の検査患者の表示行が選択されたか否かを判別する（ステップＳ５′−２）。この処理では、先ず、図８に示すように、例えば三行目の患者「▽上□也」が選択されると、この患者「▽上□也」の行が反転表示又は他と異なる色で表示されると共に、プルダウンメニュー表示７３が表示される。このプルダウンメニュー表示７３には、上から「前処置内容の確認・変更」、「オーダ詳細確認」、「キャンセル」の三項目がメニュー表示される。
【００８０】
ここで「前処置内容の確認・変更」が選択されると、表示が反転し、更に確定する（選択入力する）と、業務に係わるデータ入力ウインドウが表示される（ステップＳ５′−４）。この処理では、内視鏡検査部門のシステムにおいては、図６に示したと同様の表示画面が表示される。
【００８１】
なお、上記のプルダウンメニュー表示７３の選択入力で「キャンセル」が選択入力されると、上記の三行目の患者「▽上□也」の選択が取り消され、その三行目の患者「▽上□也」の行の反転表示又は他と異なる色の表示が元の表示に戻される。
【００８２】
また、「オーダ詳細確認」が選択入力されると（ここでは「オーダ」は医療患者（又は検査患者）のことである）、図６に示したと同様の表示画面が表示される。但し、この場合は、見るだけであり、データの入力は出来ない。すなわち「一覧へ戻る」ボタン５５の入力のみが有効となる。
【００８３】
上記のように、「前処置内容の確認・変更」が選択入力され、図６に示したと同様の表示画面が表示された後に、サーバ装置１８のＣＰＵは、当該表示画面を操作中の担当医によって、データの参照が行われれば（例えばアイコン表示欄５９のいずれかのアイコンが押下されると）その参照要求のあったデータの表示を行い、入力用ウインドウ６２への追加入力（再編集）があれば、その入力処理（データベースの医療患者レコードの書き換え処理）を行い、そして「登録」ボタン６４が押下されたか否か監視する（ステップＳ５′−５）。
【００８４】
これにより、前処置担当医は、再表示された図６に示す入力用ウインドウ用表示画面５３において、「登録」ボタン６４を押下しないかぎり（Ｓ５′−５がＮＯ）、ステップＳ５′−５において、図６に示す入力用ウインドウ６２へのデータの追加入力を行うことができる。
【００８５】
このようにデータの再編集が行われ、最終的に、この患者「▽上□也」へのデータ再編集が完了して、担当医により「登録」ボタン６４が押下されて、ステップＳ５′−５で判別がＹＥＳであると判別し、更に「一覧へ戻る」ボタン５５が押下されて、ステップＳ５′−６で判別がＹＥＳであると判別すると、サーバ装置１８のＣＰＵは、入力用ウインドウ用表示画面５３を表示画面から消去し（ステップＳ５′−７）、上述のステップＳ５′−１の処理に戻る。
【００８６】
このように、本例によれば、業務が完了した医療患者に対する該業務の追加実施を迅速に実行できるとともに、その追加実施のデータ入力を迅速に行うことができるようになる。
以上、図４の立ち上り初期表示画面３０の表示を始点として、内視鏡検査部門のシステムにおける前処置の業務について説明したが、立ち上り初期表示画面３０に示されている他の業務、すなわち患者受付、実施入力、レポート入力についても、特には図示しないが、上述したとほぼ同様の処理手順で処理が進行する。また、検査状況一覧が選択された場合は、上記とはやや異なり、図９に示したとほぼ同様の一覧表示画面が表示される。
【００８７】
なお、本例において、図５に示した前処置未着手検査患者一覧表５２、図８に示した前処置業務実施済検査患者一覧表７２等の一覧表示においては、特には図示しなかったが、サーバ装置１８に予め指示を入力しておくことにより、所望の仕分け区分に従って表示行の背景又は表示文字を色分けして表示することができる。
【００８８】
このように、本例によれば、未着手または完了の一覧表示の中で更に他の業務の進捗状況が目視によって容易に判別でき、業務を実施すべき未着手の医療患者又は業務を追加実施すべき業務完了の医療以来を誤りなく迅速に見つけ出すことができるようになる。
【００８９】
【発明の効果】
以上説明したように、本発明によれば、自動的に表示される各業務に対応する選択肢からこれから行おうとする業務を選択するだけで当該業務の処置未着手の医療患者のみを一覧表示させ更に所望の医療患者へのデータ入力画面を表示させるので、処置未着手業務の処置実施又は処置完了業務への追加処置実施と、その実施結果のデータ入力を迅速に行うことができる医療業務進捗状況入力支援システムを提供することが可能となる。
【図面の簡単な説明】
【図１】一実施の形態における医療業務進捗状況入力支援システムの全体構成を示す図である。
【図２】一実施の形態における医療業務進捗状況入力支援システムの全体構成の中の内視鏡検査システムの構成例を示す図である。
【図３】一実施の形態における医療業務進捗状況入力支援システムの各業務において一覧表示された未着手の医療患者の中から選択された患者に対する処置実施のデータが入力される際の処理動作を示すフローチャートである。
【図４】内視鏡システムにおいて未着手の処置に対する処置実施のデータ入力のためにサーバ装置又は他の端末の表示装置に表示される立ち上り初期表示画面の例を示す図である。
【図５】立ち上り初期表示画面において前処置入力が選択された場合に表示される前処置未着手の患者の医療患者の一覧表示画面の例を示す図である。
【図６】上記の前処置を行うべき患者の医療患者の選択の表示画面において、所望の患者名が表示されている行の医療患者の選択された場合に表示される「処置状況の入力」を行うための表示画面の例を示す図である。
【図７】処置実施のデータが入力済みの医療患者についてデータの参照やデータの再編集を行う場合の処理動作を示すフローチャートである。
【図８】データの参照やデータの再編集を行う場合の処理動作において表示画面に表示される一覧表示の例を示す図である。
【図９】従来の内視鏡検査の医療用画像ファイリングシステムにおいて体内検査の医療業務の進捗状況を見るためにシステムに接続されたコンピュータのモニタに表示される一覧表示画面の例を示す図である。
【符号の説明】
１　　受付メイン画面
２　　メニューボタンのグループ
３　　サブメニューボタンのグループ
４　　機能ボタンのグループ
５　　コンボボックス
６　　検査一覧ウィンドウ
７　　進行状況
１０　院内ネットワーク
１１　電子カルテシステム
１２　内視鏡検査部門
１３　病理部門
１４（１４−１、・・・、１４−ｎ）　その他の部門
１５（１５−１、・・・、１５−ｍ）　院内情報端末
１６　内視鏡検査システム
１７　システムネットワーク
１８　サーバ装置
１９　レポート入出力用端末
２１　検査装置用端末
２２　データ送受信用端末
２３　プリンタ
２４　ＤＶＤ制御用端末
２５　プリンタ
２６　内視鏡検査装置
２７　プリンタ
２８　ＤＶＤチェンジャー
３０　スタート画面
３１　日付表示欄
３２　三角ボタン
３３　ログアウトボタン
３４　使用者欄
３５　業務選択ボタン群表示領域
３６　主画面表示領域
３７　患者受付ボタン
３８　前処置入力ボタン
３９　実施入力ボタン
４１　レポート入力ボタン
４２　検査状況一覧ボタン
４３　ネットワーク名
４５　前処置の未着手検査患者一覧表示画面
４６　検査ボタン
４７　主画面
４８、４８′　画面名称領域
４９　更新ボタン
５１　処置済み一覧へボタン
５２　前処置未着手検査患者一覧表示
５３　入力用ウインドウ用表示画面
５４　画面名称領域
５５　一覧へ戻るボタン
５６　使用者欄
５７　情報表示領域
５８　注意事項欄
５９　他装置呼出アイコン表示欄
６１　一覧表示領域
６２　入力用ウインドウ
６３　一時保存ボタン
６４　登録ボタン
６５　チェック欄
６６　薬剤名欄
６７　分量欄
６８　実施者名欄
【図１】
2004145428.tif 000003
【図２】
2004145428.tif 000004
【図３】
2004145428.tif 000005
【図４】
2004145428.tif 000006
【図５】
2004145428.tif 000007
【図６】
2004145428.tif 000008
【図７】
2004145428.tif 000009
【図８】
2004145428.tif 000010
【図９】
2004145428.tif 000011